(57)【要約】【課題】操作が容易で誤操作の虞がないフットスイッチと音声入力器を備えたＸ線透視撮影装置を供給する。【解決手段】音声入力器１０は、ピンマイクなどからなり身に装着する構造を有し、フットスイッチ９の１段目スイッチ９４が作動状態の場合入力される音声を音声信号に変換する。音声認識装置１１はあらかじめ保存されている各種装置操作指令の音声信号と新たに入力される装置操作指令の音声信号を比較照合し保存されている音声信号から一致する音声信号を呼び出し、呼び出した音声信号に対応する装置操作指令のモニタ１２への表示と装置操作の準備開始を制御装置７に指示する。フットスイッチ９の２段目スイッチ９５が作動すると装置操作が実行される。【選択図】          図１
0003141540.tif 000002
【実用新案登録請求の範囲】
【請求項１】
Ｘ線を発生するＸ線管と、前記Ｘ線管と対向して配設させ被検者を透過したＸ線を受像するＸ線検出器と、前記Ｘ線管およびＸ線検出器を保持する保持装置と、これら各機器ならびに装置を複数種の指令に従って操作させる操作指令部を備えたＸ線透視撮影装置において、前記操作指令部は１個のペダルを備えたフットスイッチと、前記フットスイッチの操作による信号を受け音声入力を受け付けると共に、入力された音声指令の種別を認識する音声入力装置からなり、前記フットスイッチの操作により前記認識された種別の指令に従う操作を行わせることを特徴とするＸ線透視撮影装置。
【請求項２】
Ｘ線を発生するＸ線管と、前記Ｘ線管と対向して配設させ被検者を透過したＸ線を受像するＸ線検出器と、前記Ｘ線管およびＸ線検出器を保持する保持装置と、これら各機器ならびに装置を複数種の指令に従って操作させる操作指令部を備えたＸ線透視撮影装置において、前記操作指令部は１個のペダルを備えかつ２段階操作するフットスイッチと、前記フットスイッチの第一段階の操作による信号を受け音声入力を受け付けると共に、入力された音声指令の種別を認識する音声入力装置からなり、前記フットスイッチの第二段階の操作により前記認識された種別の指令に従う操作を行わせることを特徴とするＸ線透視撮影装置。
【請求項３】
Ｘ線を発生するＸ線管と、前記Ｘ線管と対向して配設させ被検者を透過したＸ線を受像するＸ線検出器と、前記Ｘ線管およびＸ線検出器を保持する保持装置と、これら各機器ならびに装置を複数種の指令に従って操作させる操作指令部を備えたＸ線透視撮影装置において、前記操作指令部は１個のペダルを備えかつ２段階操作するフットスイッチと、前記フットスイッチの第一段階の操作による信号を受け音声入力を受け付けると共に、入力された音声指令の種別を認識する音声入力装置と、前記認識された種別の指令を表示する表示手段からなり、前記フットスイッチの第二段階の操作により前記表示された指令に従う操作を行わせることを特徴とするＸ線透視撮影装置。
【考案の詳細な説明】
【技術分野】
【０００１】
本考案は、Ｘ線管とＸ線検出器とを対向させて支持した状態で、被検者の多方向からのＸ線透視およびＸ線撮影を行うＸ線透視撮影装置に係り、特に誤操作の防止手段に関する。
【背景技術】
【０００２】
Ｘ線透視およびＸ線撮影を行う装置として、Ｃアームを有するＸ線透視撮影装置がある。このＸ線透視撮影装置は、検診台天板に載架された被検者を挟んでＸ線管とＸ線検出器（イメージインテンシファイアやテレビカメラ、ＦＰＤなど）とをＣアームの両端に対向固定させて構成される保持装置を備えている。保持装置は、Ｃアームと基台部で構成され、Ｃアームの水平方向と回転方向の移動と、Ｃアームに沿ったスライド移動が可能であり、基台部を介して床に固定されている。
【０００３】
Ｘ線透視撮影装置の操作指令部は、検診台横などに配設され操作者が手により操作する操作盤と、床に設置され操作者が足で操作するフットスイッチとからなる。操作盤は主にＣアームの位置や姿勢を操作し、フットスイッチは一般的にＸ線発生のＯＮ／ＯＦＦを操作する機能を有する。操作者は、透視・撮影画像あるいは被検者を見ながら操作盤とフットスイッチを操作することが多い。フットスイッチは複数のペダルを備え、それぞれ異なった機能を有する。血管造影検査で用いられる正面系、側面系の２つのＸ線透視撮影装置を組み合わせたシステムでは、それぞれの透視・撮影あるいは同時撮影などで、フットスイッチの操作は複雑である。
【０００４】
Ｘ線画像診断装置（Ｘ線透視撮影装置）を操作する操作者の負担を軽減するために、下記のとおり、音声による操作を可能とした装置が提供されている。寝台天板に載置された被検者を間にして対向するＸ線管およびＸ線検出器を支持し、被検者に対するＸ線撮影方向を可変にするＣアーム保持装置を備えるＸ線画像診断装置において、誤作動によって被検者に危害を与える虞がある第１の機能は操作者が行う操作に基づき制御するとともに、誤作動によっても被検者に危害を与える虞のない第２の機能は操作者が発する音声を認識することによって制御するシステム制御部を備える（例えば特許文献１参照）。
【特許文献１】特開２００６−１４９９０９号公報
【考案の開示】
【考案が解決しようとする課題】
【０００５】
上述のとおり、フットスイッチの操作は複雑で、装置操作の種別ごとに配設された複数のペダルを目視なしで踏み分けるのは困難である。また、音声入力による装置の操作は、雑音や不明瞭な発音で誤作動する虞がある。特にＸ線発生のＯＮ／ＯＦＦを音声だけで操作する場合は誤作動によるＸ線被爆の危険がともなう。
【課題を解決するための手段】
【０００６】
本考案は、Ｘ線を発生するＸ線管と、前記Ｘ線管と対向して配設させ被検者を透過したＸ線を受像するＸ線検出器と、前記Ｘ線管およびＸ線検出器を保持する保持装置と、これら各機器ならびに装置を複数種の指令に従って操作させる操作指令部を備えたＸ線透視撮影装置において、操作指令部は１個のペダルを備えたフットスイッチと、前記フットスイッチの操作による信号を受け音声入力を受け付けると共に、入力された音声指令の種別を認識する音声入力装置からなり、前記フットスイッチの操作により前記認識された種別の指令に従う操作を行わせる。あるいは、操作指令部は１個のペダルを備えかつ２段階操作するフットスイッチと、前記フットスイッチの第一段階の操作による信号を受け音声入力を受け付けると共に、入力された音声指令の種別を認識する音声入力装置からなり、前記フットスイッチの第二段階の操作により前記認識された種別の指令に従う操作を行わせる。または、操作指令部は１個のペダルを備えかつ２段階操作するフットスイッチと、前記フットスイッチの第一段階の操作による信号を受け音声入力を受け付けると共に、入力された音声指令の種別を認識する音声入力装置と、前記認識された種別の指令を表示する表示手段からなり、前記フットスイッチの第二段階の操作により前記表示された指令に従う操作を行わせる。したがって、１個のペダルを備えたフットスイッチを使い、操作の種別を音声入力された指令で選択して操作の実行をするため、ペダルの踏み違いによる誤操作は生起しない。
【考案の効果】
【０００７】
フットスイッチに備えられた１個のペダルで、音声入力によって装置操作指令の種別を切り替えて操作するため、目視なしでもペダルを踏み間違える虞はない。また、音声で操作したい指令を選択し、選択した指令の表示を確認後再度ペダルを踏み込むことで確実に目的の装置操作を実行できる。したがって、操作者のストレスを軽減し誤操作を防止したＸ線透視撮影装置を提供できる。
【考案を実施するための最良の形態】
【０００８】
Ｘ線透視撮影装置は、Ｘ線透視画像およびメニュー画面を表示する手段と、音および音声を発する手段を有する表示器を備える。
【０００９】
Ｘ線管とＸ線検出器の前面およびＣアーム基台部分に接触検出スイッチを設け、被検者および操作者の安全性を確保する。
【実施例】
【００１０】
以下、本考案の実施例について図１、２を参照して説明する。図１は、本考案のＸ線透視撮影装置の概略構成を示す図である。図２は、本考案のＸ線透視撮影装置のフットスイッチ９の概略構成を示す図である。図１において、保持装置３を構成するＣアームの一端に支持されたＸ線管１から放射されるＸ線は、天板４に載架された被検者Ｍを透過し、Ｘ線管１と対向して前記Ｃアームの他の一端に支持されたＸ線検出器２に入射する。Ｘ線検出器２は、例えばＸ線フラットパネル検出器（ＦＰＤ）等で構成され、その出力信号よりＸ線透視画像が生成されディスプレイとスピーカを備えたモニタ１２に表示される。
【００１１】
保持装置３は、Ｃアームと基台部で構成され、Ｃアームの水平方向と回転方向の移動と、Ｃアームに沿ったスライド移動が可能であり、基台部を介して床に固定されている。天板４は検診台５の上面に移動可能に支持され、検診台５を介して床に固定されている。Ｘ線管１は管球駆動装置６を介して制御装置７で制御され、放射されるＸ線がＯＮ／ＯＦＦされる。
【００１２】
本考案のＸ線透視撮影装置の操作指令部は、操作盤８と、フットスイッチ９と、音声入力器１０ならびに音声認識装置１１で構成される音声入力装置からなる構造を有する。操作者は検診台５の側面に配設された操作盤８を操作し制御装置７を介して保持装置３のＣアームや天板４などを操作者の目的とする位置へ移動させる。
【００１３】
操作者が足で２段階操作するフットスイッチ９は、図２に示すとおり、Ｌ字型の形状をし一端が揺動可能にペダル支持台９２に支持された１個のペダル９１と、スイッチ台９３に保持された１段目スイッチ９４および２段目スイッチ９５と、カバー９６等からなる構造を有する。ペダル支持台９２とスイッチ台９３はカバー９６に固定される。フットスイッチ９はペダル９１を軽く（例えば踏込力１Ｎ程度で）踏んだ時１段目スイッチ９４が作動し、強く（例えば踏込力１０Ｎ程度で）踏み込んだ時２段目スイッチ９５も作動する。
【００１４】
音声入力器１０は、ピンマイクなどからなり身に装着する構造を有し、１段目スイッチ９４が作動状態の場合入力された音声を受け付けて音声信号に変換する。音声認識装置１１はあらかじめ保存されている各種装置操作指令の音声信号と新たに入力される装置操作指令の音声信号を比較照合し、保存されている音声信号から一致する音声信号を呼び出し、呼び出した音声信号に対応する装置操作指令をモニタ１２へ表示し、装置操作の準備開始を制御装置７に指示する。
【００１５】
フットスイッチ９と音声入力器１０は、操作者により下記のとおり操作され、装置操作が行われる。例えばＸ線透視を行う場合、操作者がペダル９１を軽く踏むと、１段目スイッチ９４が作動し、音声入力器１０は音声入力を受け付ける状態になる。操作者が音声で装置操作指令「透視」を音声入力器１０へ入力すると該音声は音声信号に変換される。音声認識装置１１は保存されている音声信号の中から入力された音声信号と一致する音声信号（装置操作指令「透視」の音声信号）を呼び出し制御装置７を介して装置を透視準備状態にする。この準備状態ならびに呼び出された「透視」はモニタ１２に文字や音で表示される。この表示を見た（あるいは聞いた）操作者は音声入力が正しく認識されたことを確認でき、ペダル９１を強く踏み込み２段目スイッチ９５を作動させる。２段目スイッチ９５を作動させるとＸ線が照射され透視が行われる。操作者が足を緩め２段目スイッチ９５の作動が停止するとＸ線の照射は停止するが透視準備状態は解除されないので再度ペダル９１を強く踏めば透視が行われる。足を完全にペダル９１から離して１段目スイッチ９４の作動が停止すると透視準備状態も解除され、音声入力なしで、再度ペダル９１を軽くあるいは強く踏んでも装置は動作しない。
【００１６】
本考案は以上の構造であるから、フットスイッチ９を構成するペダル９１は１個だけであり、音声入力によって装置操作指令の種別を切り替えて操作するため、目視しなくてもペダル９１を踏み間違える虞はない。また、音声で操作したい指令を選択し、選択した指令を確認後、さらにペダル９１を踏み込むことで確実に目的の装置操作指令を実行できる。したがって、操作者のストレスを軽減し誤操作を防止したＸ線透視撮影装置を提供できる。
【００１７】
図示例においては、Ｃアームを備えた床固定式の保持装置３からなる構造の装置であるが、天井走行式の保持装置からなる構造のＸ線透視撮影装置においても本考案は適用できる。このように本考案は図示例に限定されるものではなく種々の変形例を包含する。
【産業上の利用可能性】
【００１８】
この考案は、Ｘ線管とＸ線検出器とを対向させて支持した状態で、被検者の多方向からのＸ線透視およびＸ線撮影を行うＸ線透視撮影装置に係り、特に誤操作の防止手段に関する。
【図面の簡単な説明】
【００１９】
【図１】本考案のＸ線透視撮影装置の概略構成を示す図である。
【図２】本考案のＸ線透視撮影装置のフットスイッチの概略構成を示す図である。
【符号の説明】
【００２０】
１  Ｘ線管
２  Ｘ線検出器
３  保持装置
４  天板
５  検診台
６  管球駆動装置
７  制御装置
８  操作盤
９  フットスイッチ
１０  音声入力器
１１  音声認識装置
１２  モニタ
９１  ペダル
９２  ペダル支持台
９３  スイッチ台
９４  １段目スイッチ
９５  ２段目スイッチ
９６  カバー
Ｍ  被検者
【図１】
0003141540.tif 000003
【図２】
0003141540.tif 000004